(57)【要約】  光アセンブリは、より狭い区分及びより広い区分を含むフードを備える雌雄同体カセットを含む。より狭い区分及びより広い区分は、スロットによって分離され、これにより、より狭い区分は、嵌合光アセンブリの同一の嵌合フードのより広い区分内に少なくとも部分的に合い、より広い区分は、嵌合フードのより狭い区分を受容する。フードは、嵌合フードの第２及び第１の停止特徴部と係合するように構成された第１及び第２の停止特徴部を有する。第１の停止特徴部は、フードのより狭い区分の嵌合端を備え、第２の停止特徴部は、フードのより広い区分内に配設された停止面を備える。フードの停止特徴部と嵌合フードの停止特徴部との係合は、嵌合中に嵌合軸に沿ったフード及び嵌合フードの相対的な並進移動を停止するように構成される。
2021529983.tif 000002
【特許請求の範囲】
【請求項１】
光アセンブリであって、
雌雄同体カセットであって、
より狭い区分及びより広い区分を含み、かつスロットによって分離されるフードであって、これにより、前記より狭い区分は、嵌合光アセンブリの同一の嵌合フードのより広い区分内に少なくとも部分的に合い、前記より広い区分は、前記嵌合フードのより狭い区分を受容する、フードと、
前記嵌合フードの第２及び第１の停止特徴部と係合するように構成された第１及び第２の停止特徴部であって、前記第１の停止特徴部は、前記フードの前記より狭い区分の嵌合端を備え、前記第２の停止特徴部は、前記フードの前記より広い区分内に配設された停止面を備え、前記フードの前記停止特徴部と前記嵌合フードの停止特徴部との係合は、嵌合中に嵌合軸に沿った前記フード及び前記嵌合フードの相対的な並進移動を停止するように構成された、第１及び第２の停止特徴部と、を含む、雌雄同体カセットを備える、光アセンブリ。
【請求項２】
光アセンブリであって、
カセットであって、
より狭い区分及びより広い区分を含むフードであって、前記より狭い区分は、前記より広い区分を超えて、かつ後ろに延び、嵌合光アセンブリの嵌合フードのより広い区分内に少なくとも部分的に整合するように構成されており、前記より広い区分は、前記嵌合フードのより狭い区分を受容するように構成されている、フードと、
前記フードの対向する側面に配設された第１及び第２のスロットであって、前記第１及び第２のスロットは、前記より広い区分の少なくとも一部から前記より狭い区分の少なくとも一部を分離し、各スロットは、前記フードの嵌合端にある開口部と前記スロットの端部まで延びるスロット壁とを有し、前記第１及び第２のスロットは、前記嵌合フードの第２及び第１のスロットと係合するように構成されている、第１及び第２のスロットと、
前記嵌合フードの第２及び第１の停止特徴部と係合するように構成された第１及び第２の停止特徴部であって、前記第１の停止特徴部は、前記フードの前記より狭い区分の嵌合端を備え、前記第２の停止特徴部は、前記フードの前記より広い区分内に配設された停止面を備え、前記フードの前記停止特徴部と前記嵌合フードの停止特徴部との係合は、嵌合中に前記第１及び第２のスロットの前記端部が前記嵌合フードの前記第１及び第２のスロットの端部と接触する前に、嵌合軸に沿った前記フード及び前記嵌合フードの相対的な並進移動を停止するように構成されている、第１及び第２の停止特徴部と、を含むカセットを備える光アセンブリ。
【請求項３】
光フェルールサブアセンブリであって、
少なくとも１つの光導波路と、
第１の位置で前記光導波路に取り付けられた光フェルールと、
第２の位置で前記光導波路に取り付けられたケーブル保持具であって、前記ケーブル保持具は、互いに非平行である第１及び第２の対向する側面を有し、前記非平行な側面は、前記光導波路にわたって配設されている、ケーブル保持具と、を備える光フェルールサブアセンブリ。
【請求項４】
光フェルールサブアセンブリであって、
少なくとも１つの光導波路と、
第１の位置で前記光導波路に取り付けられた光フェルールと、
第２の位置で前記光導波路に取り付けられたケーブル保持具であって、前記ケーブル保持具は、前記光導波路にわたって横方向に延びる第１及び第２の対向する側面と、前記第１の側面と前記第２の側面との間に延びる第３及び第４の対向する側面とを有し、前記第３の側面は、前記第４の側面よりも短い、ケーブル保持具と、を備える光フェルールサブアセンブリ。
【請求項５】
光アセンブリであって、
１つ以上の光フェルールサブアセンブリであって、各光フェルールサブアセンブリは、
少なくとも１つの光導波路と、
第１の位置で前記光導波路に取り付けられた光フェルールと、
第２の位置で前記光導波路に取り付けられたケーブル保持具であって、前記ケーブル保持具は、前記光導波路にわたって横方向に延びる互いに非平行な２つの対向する側面と、前記非平行な側面の間に延びる２つの対向する側面とを有する、ケーブル保持具と、を含む１つ以上の光フェルールサブアセンブリと、
前記光フェルールサブアセンブリを保持するように構成されたカセットであって、前記カセットは、１つ以上の保持具マウントを備え、各保持具マウントは、１つの光フェルールサブアセンブリのケーブル保持具を受容するように構成されている、カセットと、を備える光アセンブリ。
【請求項６】
光アセンブリであって、
１つ以上の光フェルールサブアセンブリを収容するように構成されたカセットであって、各光フェルールサブアセンブリは、少なくとも１つの光導波路と、第１の位置で前記光導波路に取り付けられた光フェルールと、第２の位置で前記光導波路に取り付けられたケーブル保持具であって、前記ケーブル保持具は、前記光導波路にわたって横方向に延びる互いに非平行な２つの対向する側面と、前記２つの非平行な側面の間に延びる２つの対向する側面とを有する、ケーブル保持具と、を備え、前記カセットは、１つ以上の保持具マウントを備え、各保持具マウントは、少なくとも１つの光フェルールサブアセンブリのケーブル保持具を受容するように構成されており、各保持具マウントは、前記カセットの内壁から延び、前記カセットの嵌合軸に対して垂直でない角度で配向された第１の表面を備え、前記第１の表面は、前記ケーブル保持具の前記非平行な側面のうちの１つと係合するように構成されている、カセットを備える光アセンブリ。
【請求項７】
光アセンブリであって、
カセットであって、
少なくとも１つの光フェルールサブアセンブリを収容するように構成された内部空間を画定する側面であって、
少なくとも１つの光導波路と、
前記光導波路の第１の位置で前記光導波路に取り付けられた光フェルールと、
前記光導波路の第２の位置で前記光導波路に取り付けられたケーブル保持具と、を含む側面と、
前記ケーブル保持具を前記カセットの前記内部空間内に保持するように構成された１つ以上の可撓性ラッチ部材と、を含むカセットを備える光アセンブリ。
【請求項８】
複数の光フェルールサブアセンブリを含む光アセンブリを組み立てるための挿入ツールであって、
前記光アセンブリのフレームを支持するように構成されたベースであって、前記フレームは、１つ以上の光フェルールサブアセンブリを保持するように構成される、ベースと、
前記ベースの前記表面から延びる複数の歯であって、前記歯は、前記ベースの横軸に沿って互いに離間され、前記歯は、前記フレームの前記フェルールサブアセンブリのピッチに等しい前記横軸に沿ったピッチを有する、複数の歯と、を備える挿入ツール。
【請求項９】
光アセンブリであって、
互いに離間され、かつ前記フレームの内部空間内に少なくとも部分的に配設された複数のフェルールサブアセンブリを保持するように構成されたフレームであって、
前記フレームの嵌合端から対向する非嵌合端まで延びるベース側面と、
前記フレームの嵌合端に沿って、かつそれに近接して互いに離間されたフェルール支持特徴部であって、前記光フェルールサブアセンブリが前記フレーム内に挿入された後、かつ嵌合光アセンブリと嵌合する前に、光フェルールサブアセンブリのフェルールを支持するように構成されたフェルール支持特徴部と、
前記フレームの嵌合端に沿って、かつそれに近接して互いに離間された前記ベース側面の孔であって、前記孔のピッチは前記フェルール支持特徴部のピッチに等しい、ベース側面の孔と、を含むフレームを備える光アセンブリ。
【請求項１０】
アセンブリであって、
１つ以上の光フェルールサブアセンブリを保持するように構成されたフレームであって、
前記フレームの嵌合端から対向する非嵌合端まで延びるベース側面と、
前記嵌合端に近接し、かつ前記嵌合端に沿って互いに離間された前記ベース側面の孔と、を含む、フレームと、
複数の光フェルールサブアセンブリを前記フレーム内に装着するためのツールであって、
前記フレームを支持するように構成された表面を有するベースと、
前記ベースの前記表面から延び、前記ベースの横軸に沿って互いに離間された複数の歯であって、前記フレームの前記孔内に挿入される、複数の歯と、を含むツールと、を備えるアセンブリ。
【発明の詳細な説明】
【技術分野】
【０００１】
本開示は、概して、光フェルールと、光アセンブリと、光フェルールを含む光コネクタとに関する。
【背景技術】
【０００２】
光コネクタは、電気通信ネットワーク、ローカルエリアネットワーク、データセンターリンク、及びコンピュータ装置の内部リンク、を含む様々なアプリケーションにおける光通信に使用することができる。ラップトップコンピュータ、また更には携帯電話などの、より小さい消費者用電子機器の内部用途へと、光通信を拡張することに関心が持たれている。これらのシステムに関するコネクタ内では、塵埃及び他の形態の汚染の影響を受けにくい光接続を実現するために、拡大光ビームを使用することができ、それにより、位置合わせ公差を緩和することができる。一般に、拡大ビームは、関連付けられた光導波路（通常、光ファイバ、例えば、マルチモード通信システム用のマルチモードファイバ）のコアよりも直径が大きいビームである。接続点において拡大ビームである場合、一般に、コネクタは拡大ビームコネクタとみなされる。拡大ビームは、通常、光源又は光ファイバからの光ビームを発散させることによって得られる。多くの場合、発散ビームは、レンズ又はミラーなどの光学素子によって処理され、近似的にコリメートされた拡大ビームとなる。次に、拡大ビームは、別のレンズ又はミラーによってビームを集束することによって、受信される。
【発明の概要】
【０００３】
実施形態は、光フェルールカセットを含む光アセンブリ、並びに光フェルールサブアセンブリをカセットに装着するためのツール及び方法を対象とする。
【０００４】
いくつかの実施形態によれば、光アセンブリは、より狭い区分及びより広い区分を含むフードを備える雌雄同体カセットを含む。より狭い区分及びより広い区分は、スロットによって分離され、これにより、より狭い区分は、嵌合光アセンブリの同一の嵌合フードのより広い区分内に少なくとも部分的に合い、より広い区分は、嵌合フードのより狭い区分を受容する。フードは、嵌合フードの第２及び第１の停止特徴部と係合するように構成された第１及び第２の停止特徴部を有する。第１の停止特徴部は、フードのより狭い区分の嵌合端を備え、第２の停止特徴部は、フードのより広い区分内に配設された停止面を備える。フードの停止特徴部と嵌合フードの停止特徴部との係合は、嵌合中に嵌合軸に沿ったフード及び嵌合フードの相対的な並進移動を停止するように構成される。
【０００５】
いくつかの態様によれば、各スロットは、フードの嵌合端にある開口部とスロットの端部まで延びるスロット壁とを有する。フードの停止特徴部と嵌合フードの停止特徴部との係合は、嵌合中に第１及び第２のスロットの端部が嵌合フードの第１及び第２のスロットの端部と接触する前に、嵌合軸に沿ったフード及び嵌合フードの相対的な並進移動を停止するように構成される。
【０００６】
いくつかの実施形態は、少なくとも１つの光導波路を備える光フェルールサブアセンブリを対象とする。光フェルールは、光導波路の第１の位置で光導波路に取り付けられる。ケーブル保持具は、光導波路の第２の位置で光導波路に取り付けられる。ケーブル保持具は、互いに非平行な第１及び第２の対向する側面を有し、非平行な側面は、光導波路にわたって配設されている。
【０００７】
いくつかの実施形態では、ケーブル保持具は、光導波路にわたって横方向に延びる第１及び第２の対向する側面と、第１の側面と第２の側面との間に延びる第３及び第４の対向する側面とを有し、第３の側面は、第４の側面よりも短い。
【０００８】
いくつかの実施形態は、各々が、少なくとも１つの光導波路と、第１の位置で光導波路に取り付けられた光フェルールと、第２の位置で光導波路に取り付けられたケーブル保持具と、を備える、１つ以上の光フェルールサブアセンブリを含む、光アセンブリを含む。ケーブル保持具は、光導波路にわたって横方向に延びる互いに非平行な２つの対向する側面と、非平行な側面の間に延びる２つの対向する側面とを有する。光アセンブリは、光フェルールサブアセンブリを保持するように構成されたカセットを更に含む。カセットは、１つ以上の保持具マウントを備える。各保持具マウントは、１つの光フェルールサブアセンブリのケーブル保持具を受容するように構成される。
【０００９】
いくつかの実施形態によれば、光アセンブリは、１つ以上の光フェルールサブアセンブリを収容するように構成されたカセットを含む。各光フェルールサブアセンブリは、少なくとも１つの光導波路と、第１の位置で光導波路に取り付けられた光フェルールと、第２の位置で光導波路に取り付けられたケーブル保持具と、を備える。ケーブル保持具は、光導波路にわたって横方向に延びる互いに非平行な２つの対向する側面と、２つの非平行な側面の間に延びる２つの対向する側面とを有する。カセットは、１つ以上の保持具マウントを備える。各保持具マウントは、少なくとも１つの光フェルールサブアセンブリのケーブル保持具を受容するように構成される。各保持具マウントは、カセットの内壁から延び、カセットの嵌合軸に対して垂直でない角度で配向された第１の表面を有し、第１の表面は、ケーブル保持具の非平行な側面のうちの１つと係合するように構成される。
【００１０】
いくつかの実施形態によれば、光アセンブリは、少なくとも１つの光フェルールサブアセンブリを収容するように構成された内部空間を画定する側面を有するカセットを含む。少なくとも１つの光フェルールサブアセンブリは、少なくとも１つの光導波路と、光導波路の第１の位置で光導波路に取り付けられた光フェルールと、光導波路の第２の位置で光導波路に取り付けられたケーブル保持具と、を備える。カセットは、ケーブル保持具をカセットの内部空間内に保持するように構成された１つ以上の可撓性ラッチ部材を有する。
【００１１】
いくつかの実施形態は、複数の光フェルールサブアセンブリを含む光アセンブリを組み立てるための挿入ツールを対象とする。挿入ツールは、光アセンブリのフレームを支持するように構成されたベースを有する。フレームは、１つ以上の光フェルールサブアセンブリを保持するように構成される。複数の歯は、ベースの表面から延びる。歯は、ベースの横軸に沿って互いに離間され、フレームのフェルールサブアセンブリのピッチに等しい横軸に沿ったピッチを有する。
【００１２】
いくつかの実施形態は、互いに離間され、フレームの内部空間内に少なくとも部分的に配設された複数のフェルールサブアセンブリを保持するように構成されたフレームを含む光アセンブリを含む。フレームは、フレームの嵌合端から対向する非嵌合端まで延びるベース側面を有する。フェルール支持特徴部は、フレームの嵌合端に沿って、かつそれに近接して互いに離間している。フェルール支持特徴部は、光フェルールサブアセンブリがフレーム内に挿入された後、かつ嵌合光アセンブリと嵌合する前に、光フェルールサブアセンブリのフェルールを支持するように構成される。フレームは、フレームの嵌合端に沿って、かつそれに近接して互いに離間されたベース側面の孔を有する。孔のピッチはフェルール支持特徴部のピッチに等しい。
【００１３】
フェルールサブアセンブリをカセットに組み立てる方法は、フェルール装着ツールの歯をカセットの第１の側面の孔内に挿入することを含む。歯を孔内に挿入した後、光フェルールサブアセンブリをカセット内に配置する。各光フェルールサブアセンブリは、光導波路の第１の位置に取り付けられたフェルールと、光導波路の第２の位置に取り付けられたケーブル保持具とを有する。各フェルールサブアセンブリの配置は、カセット内の隣接する歯対の間にフェルールを位置決めすることと、ケーブル保持具の側面がカセットの内面から延びる表面と係合するようにケーブル保持具を位置決めすることと、を含む。ケーブル保持具と表面との係合は、カセットの嵌合軸に沿ったケーブル保持具の運動を制限する。
【００１４】
いくつかの実施形態によれば、アセンブリは、１つ以上の光フェルールサブアセンブリを保持するように構成されたフレームと、複数の光フェルールサブアセンブリをフレーム内に装着するためのツールとを含む。フレームは、フレームの嵌合端から対向する非嵌合端まで延びるベース側面を含む。ベース側面は、嵌合端に近接し、かつ嵌合端に沿って互いに離間された孔を有する。装着ツールは、フレームを支持するように構成された表面を有するベースを備える。複数の歯は、ベースの表面から延び、ベースの横軸に沿って互いに離間している。歯は、フレームの孔内に挿入された。
【図面の簡単な説明】
【００１５】
【図１Ａ】いくつかの実施形態による、フードを含む一体型のカセットを備える光アセンブリの斜視図である。
【図１Ｂ】光フェルールサブアセンブリが存在しない、図１のフードの斜視図である。
【図２】嵌合光アセンブリと嵌合した後の図１の光アセンブリの斜視切欠図である。
【図３Ａ】嵌合前（図３Ａ）及び後（図３Ｂ）のフードの切欠図である。
【図３Ｂ】嵌合前（図３Ａ）及び後（図３Ｂ）のフードの切欠図である。
【図４Ａ】いくつかの実施形態による、カセットを含む光アセンブリにおける使用に好適な光フェルール及び同一の嵌合光フェルールを示す。
【図４Ｂ】いくつかの実施形態による、光方向転換部材及び取り付け領域上に集束する光フェルールの一部の切欠図である。
【図５】いくつかの実施形態による、２つの嵌合した光フェルールサブアセンブリを示す。
【図６】いくつかの実施形態による、台形ケーブル保持具を備える光フェルールサブアセンブリの平面図である。
【図７】いくつかの実施形態による、２つの台形ケーブル保持具構成をそれぞれ示す斜視図である。
【図８】いくつかの実施形態による、２つの台形ケーブル保持具構成をそれぞれ示す斜視図である。
【図９】いくつかの実施形態による、マルチピースカセットを備える光アセンブリの斜視図である。
【図１０】いくつかの実施形態による、フェルール装着ツールの斜視図である。
【図１１】図１０のフェルール装着ツールを使用して光フェルールサブアセンブリを搭載するのに好適なカセットのフレームの分解図である。
【図１２Ａ】いくつかの実施形態による、光フェルールサブアセンブリをカセットのフレーム内に搭載するプロセスを示す。
【図１２Ｂ】いくつかの実施形態による、光フェルールサブアセンブリをカセットのフレーム内に搭載するプロセスを示す。
【図１２Ｃ】いくつかの実施形態による、光フェルールサブアセンブリをカセットのフレーム内に搭載するプロセスを示す。
【図１２Ｄ】いくつかの実施形態による、光フェルールサブアセンブリをカセットのフレーム内に搭載するプロセスを示す。
【図１３】いくつかの実施形態による、リップを有するフェルール装着ツールを示す。
【図１４Ａ】いくつかの実施形態による、光フェルールサブアセンブリの台形ケーブル保持具の保持具マウント内への挿入を示す。
【図１４Ｂ】いくつかの実施形態による、光フェルールサブアセンブリの台形ケーブル保持具の保持具マウント内への挿入を示す。
【図１５Ａ】いくつかの実施形態による、湾曲した側面を有するケーブル保持具の保持具マウント内への挿入を示す。
【図１５Ｂ】いくつかの実施形態による、湾曲した側面を有するケーブル保持具の保持具マウント内への挿入を示す。  これらの図は、必ずしも一定の比率の縮尺ではない。図面で使用されている同様の番号は同様の構成要素を示す。しかし、特定の図中のある構成要素を示す数字の使用は、同じ数字を付した別の図中の構成要素を限定することを意図するものではないことが理解されよう。
【発明を実施するための形態】
【００１６】
本明細書に記載される実施形態は、光フェルールと、光アセンブリと、かかる光フェルールを含む光コネクタとを含む。多くの用途に使用される光フェルールは、１本の導波路、又は複数の平行導波路のアレイ（一般的には４、８又は１２本又はそれ以上の平行な導波路）に光学的に結合され得る。個々の導波路は、典型的には保護緩衝コーティングを有するガラス製であり、平行導波路はジャケットで囲まれている。光フェルールは、光導波路を他の光導波路に接続するため、又は、光導波路を、インライン相互接続用の、及び／又はプリント回路基板（ＰＣＢ）接続（例えば、バックプレーン接続）用の、オプトエレクトロニクス部品に接続するために有用である。
【００１７】
フェルールの一タイプは拡大ビームフェルールであり、このフェルールでは、光は、関連付けられた光導波路のコアよりも大きく、かつ一般的には導波路間のピッチよりも幾分小さい直径のビームとして、導波路間で結合される。導波路は、光ファイバ、例えば、シングルモード通信システム用のシングルモードファイバ、又はマルチモード通信システム用のマルチモードファイバを含んでもよい。これらの拡大ビーム光フェルールは、非接触光結合とすることができ、従来の光フェルールと比較して、より低い機械的精度を要することとできる。
【００１８】
光アセンブリは、光フェルールと、光フェルールに取り付けられた少なくとも１つの光導波路とを含む、１つ以上の光フェルールサブアセンブリを保持するように構成されたカセットを含み得る。カセットは、ワンピースユニット又はマルチピースユニットとすることができる。１つ以上のカセットをコネクタハウジング内に取り付けることができる。カセットは、カセット内に取り付けられた光フェルールサブアセンブリのための機械的保護及び／又は嵌合位置合わせを提供できる。
【００１９】
本明細書に記載されるいくつかの実施形態は、カセット及び少なくとも１つの光フェルールサブアセンブリを含む光アセンブリを対象とする。カセットは、本明細書ではフードと呼ばれる雌雄同体構造を含んでもよく、この構造は、カセット内に配設されたフェルールの端部を越えて延び、したがって、フェルールの端部を衝撃及び摩耗から保護する。
【００２０】
図１Ａは、フード１１０を含む一体型のカセット１０１を含む光アセンブリ１００の斜視図である。光フェルールサブアセンブリ１３０は、フード１１０内に配設される。図１Ｂは、光フェルールサブアセンブリが存在しない、フード１１０の斜視図である。図２は、嵌合光アセンブリ１００ｍと嵌合した後の光アセンブリ１００の斜視切欠図である。図３Ａ及び図３Ｂは、嵌合前（図３Ａ）及び後（図３Ｂ）のフード１１０の切欠図である。
【００２１】
図１Ａ〜図３Ｂの図示した実施形態では、一体型のカセット１０１は、より狭い区分１１１及びより広い区分１１２を含むフード１１０である。図１Ｂに示されるように、いくつかの実施形態では、より狭い区分１１１の第１の部分１１１ａは、図１Ｂのｘ軸である嵌合軸に沿って、より広い区分１１２を超えて及び後ろに延びる。より狭い区分１１１の第２の部分１１１ｂは、嵌合フードのより広い区分内に合うように構成される。フード１１０及び嵌合フードは、図１Ｂ〜図３Ｂに示されるように同一及び雌雄同体であってもよい。図３Ａ及び図３Ｂのように、嵌合中、フード１１０のより広い区分１１２は、嵌合フード１００ｍのより狭い区分１１１ｍの第２の部分を受容するように構成され、これにより、より狭い区分１１１ｍは、より広い区分１１２内に少なくとも部分的に合う。
【００２２】
図１Ｂで最も良く分かるように、スロット１１５は、フード１１０のより狭い区分１１１とより広い区分１１２との間に配設される。より狭い区分１１１の少なくとも一部分は、フード１１０の対向する側面に配設された第１及び第２のスロット１１５によって、より広い区分１１２の少なくとも一部分から分離される。第１及び第２のスロット１１５のそれぞれは、フード１１０の嵌合端１２１に開口部１１６とスロット１１５の端部１１９まで延びるスロット壁１１７とを有する。嵌合中、第１及び第２のスロット１１５は、嵌合フードの第２及び第１のスロットと摺動可能に係合して、フード１１０のより狭い区分１１１が嵌合フードのより広い区分内で摺動でき、嵌合フードのより狭い区分がフード１１０のより広い区分１１２内で摺動できるように構成される。
【００２３】
フード１１０は、嵌合フード１１０ｍとの嵌合中に、カセット１０１の嵌合軸１９８に沿ったフード１００の並進移動を停止するように構成された停止特徴部１２２、１２４を含んでもよい。停止特徴部は、第１及び第２のスロット１１５の端部１１９が嵌合フードの第２及び第１のスロットの端部と接触する前に、嵌合軸１９８に沿ったフード１１０と嵌合フード１１０ｍとの間の並進移動を停止する。第１の停止特徴部１２４は、より狭い区分１１１の嵌合端を備えてもよく、第２の停止特徴部１２２は、フードのより広い区分内に配設された１つ以上の停止面を備えてもよい。図３Ａ及び図３Ｂに示されるように、より広い区分１１２の停止面１２２は、嵌合フード１１０ｍの狭い区分１１１ｍの嵌合端１２４ｍと係合し、逆もまた同様である。第１の停止特徴部１２４、１２４ｍは、スロット端部１１９が嵌合フードのスロット端部と接触する前に、嵌合軸１９８に沿ったフード１１０及び嵌合フード１１０ｍの相対的な並進運動を停止するように、第２の停止特徴部１２２ｍ、１２２と係合するように設計することができる。停止特徴部１２２、１２４は、フード１１０と嵌合フード１１０ｍとの間に固定停止部を提供し、これにより、図２及び図３Ｂに示されるように、２つのフード１１０、１１０ｍが互いに完全に入れ子になっているとき、光フェルールは、互いに対して正しく位置決めされて、適切な量の重なりを提供し、良好な光接続を提供する。
【００２４】
図４Ａは、本明細書で論じるような、カセットを含む光アセンブリにおける使用に好適な光フェルール４００及び同一の嵌合光フェルール４００ｍを示す。図４Ｂは、光方向転換部材４０６及び取り付け領域４０８に焦点を合わせる光フェルール４００の一部分４００−１の切欠図である。図４Ａは、嵌合前の光フェルール４００及び嵌合光フェルール４００ｍを示す。光フェルール４００、４００ｍは、１つ以上の光導波路１３１を受容するように配向された１つ以上の実質的に平行な溝４０５を含む、第１の表面４０１、４０１ｍを備える。第１の表面４０１はまた、光導波路１３１に光学的に結合されるように構成された光方向転換部材４０６を含む。「光導波路」という用語は、本明細書では、信号光を伝播させる光学素子を指すために使用される。光導波路は、クラッドを有する少なくとも１つのコアを備え、それらコア及びクラッドは、例えば全内部反射によって、コア内部で光を伝播させるように構成されている。光導波路は、例えば、単一モード若しくはマルチモード導波路、単一コアファイバ、マルチコア光ファイバ、又はポリマー導波路とすることができる。導波路は、例えば、円形、正方形、矩形などの、任意の好適な断面形状を有し得る。
【００２５】
各溝４０５は、１つ以上の光導波路のアレイの異なる光導波路１３１を受容するように構成される。溝４０５によって受容された光導波路１３１は、例えば、接着剤を使用して、光導波路１３１のための取り付け領域４０８を提供する溝４０５において光フェルール４００に恒久的に取り付けることができる。
【００２６】
光フェルール４００は、光フェルール４００と同一であり得る別の光フェルール４００ｍと両性同体に嵌合するように構成される。図４Ａに示す光フェルール４００、４００ｍは、機械的嵌合舌部４１６、４１６ｍを含む。いくつかの実施形態では、機械的嵌合舌部４１６、４１６ｍは、図に示されるように、その舌部分の長さの少なくとも一部分に沿って、テーパ状の幅を有し得る。機械的嵌合舌部４１６、４１６ｍは、後述するようにカセットフレームから外向きに延びることができる。
【００２７】
図４Ｂは、取り付け領域４０８にある光フェルールへのいくつかの光導波路１３１の取り付けを示す。光導波路１３１（光ファイバー）は、それらが恒久的に取り付けられる溝４０５内に位置合わせされている。光導波路１３１の出射端は、光導波路１３１から出た光を、光方向転換部材４０６の入力側又は入力面内へ導くことができるように置かれる。光方向転換部材４０６は、光方向転換素子４０７のアレイを含み、各光導波路（光ファイバー）１３１につき少なくとも１つが光フェルール４００に取り付けされる。例えば、様々な実施形態では、各光方向転換素子４０７は、プリズム、レンズ、及び反射面のうちの１つ以上を含む。
【００２８】
取り付け点では、光導波路のファイバ緩衝コーティング及び保護ジャケット（存在する場合）が剥ぎ取られ得ることにより、裸の光ファイバのみを、溝４０５に位置合わせして配置し、溝４０５に恒久的に付着させることが可能となる。光方向転換素子４０７は、溝４０５内に配設され溝４０５によって位置合わせされた第１の光導波路１３１から、入力光を受け入れるための、光入力側４０９を含む。光方向転換素子４０７はまた、入力側４０９からの光を入力方向に沿って受け入れ、受け入れた光を異なる転換方向に沿って方向転換するための湾曲した面を有し得る光方向転換側４１１を含む。光方向転換素子４０７はまた、出力側４１２も含み、この出力側４１２は、光方向転換素子４０７の光方向転換側４１１からの光を受け入れて、その受け入れた光を、接続相手の光結合ユニットの光方向転換部材に向けた出力方向に沿って、出力光として伝送する。
【００２９】
図４Ａ及び図４Ｂは、複数の光導波路１３１に光学的に結合することができる複数の光方向転換素子４０７を含む光フェルール４００を示しているが、光フェルールは、単一の光導波路に光学的に結合することができる１つの光方向転換素子のみを含むことも可能である。
【００３０】
光フェルール４００及び嵌合光フェルール４００ｍは、嵌合面４２０ｍを含む対向する第２の表面４０２、４０２ｍを有する。光フェルール４００の第２の表面４０２、４０２ｍの特徴部は、図４Ａに示される同一の嵌合光フェルール４００ｍを参照して最も良く理解される。嵌合面４２０ｍは、光信号を光フェルールの光伝送窓に伝搬する光伝送窓４２１ｍを含む。いくつかの実施形態では、光学の嵌合面４２０ｍは、主要部分４２３ｍと、厚さ軸（ｚ軸）に沿って主要部分４２３から離れて延びる１つ以上のパッド４２２ｍとを備えてもよい。例えば、いくつかの構成では、パッド４２２ｍは、嵌合面４２０ｍの主要部分４２３ｍから約５μｍ〜約１０μｍ離れて延びてもよい。
【００３１】
いくつかの実施形態では、嵌合面はパッドを含まなくてもよい。存在する場合、１つ以上のパッド４２２ｍは、嵌合面４２０ｍの表面積の大部分より小さい、例えば、５０％未満、２５％未満、又は１０％未満を一括して占めることができる。あるいは、パッド４２２ｍは、嵌合面の表面積の実質的な部分、例えば、嵌合面４２０ｍの表面積の１０％超、２５％超、又は更には５０％超を個別に又は一括して占めることができる。
【００３２】
いくつかの実施形態では、嵌合後、嵌合光フェルールのパッドは、嵌合光フェルール４００ｍの対応するパッド４２２ｍ上に載置され、光フェルール４００の嵌合面の主要部分と嵌合光フェルール４００ｍの嵌合面の主要部分との間に小さい間隙を提供する。小さい間隙は、光フェルール４００の嵌合面の主要部分と、嵌合光フェルール４００ｍの嵌合面４２０ｍの主要部分４２３ｍとの間に存在し得る塵埃及び／又は他の凹凸に適合する。
【００３３】
いくつかの実施形態では、光フェルール４００の嵌合面及び嵌合光フェルール４００ｍの嵌合面４２０ｍがパッドを含まない場合、光フェルール４００の嵌合面の主要部分及び嵌合光フェルール４００ｍの嵌合面４２０ｍの主要部分４２３ｍは、光フェルール４００、４００ｍが嵌合した後に接触してもよい。
【００３４】
光フェルール、光フェルールサブアセンブリ、及び光コネクタの特徴及び動作に関する追加情報は、参照により本明細書に組み込まれる、代理人案件番号８０７６２ＵＳ００２を有する、「Ｏｐｔｉｃａｌ  Ｆｅｒｒｕｌｅ  ｈａｖｉｎｇ  Ｃｏｍｐｏｕｎｄ  Ｓｔｏｐｓ」と題された、同時に出願され、同一所有者の米国特許出願第＿＿＿＿＿＿＿＿＿＿号に記載されている。
【００３５】
図５は、２つの嵌合した光フェルールサブアセンブリ５３０、５３０ｍを示す。フェルールサブアセンブリ５３０、５３０ｍは、第１の取り付け領域５０８、５０８ｍで光フェルール５３２、５３２ｍに取り付けられた光導波路５３１、５３１ｍを備える。光導波路は、第２の取り付け領域５０８’、５０８ｍ’でケーブル保持具に取り付けられ、その後、ケーブル保持具がカセットに取り付けられる。光フェルール５００、５００ｍの第１の取り付け領域５０８、５０８ｍと第２の取り付け領域５０８’、５０８ｍ’との間の光導波路５３１、５３１ｍの長さは、第２の取り付け領域５０８’、５０８ｍ’がカセット内に固定されたときに、屈曲部５１１、５１１ｍが光導波路５３１、５３１ｍにおいて生じることを可能にするように構成される。屈曲部５１１、５１１ｍは、光フェルール５３２及び嵌合光フェルール５３２ｍを嵌合位置合わせし及び嵌合位置で光通信するように保持する光フェルール５３２、５３２ｍの所定の角度及び位置で、所定の嵌合ばね力に寄与する。いくつかの実施形態では、第２の取り付け領域５０８’、５０８ｍ’は、導波路５３１、５３１ｍに取り付けられたケーブル保持具５６０、５６０ｍを備え得る。ケーブル保持具５６０、５６０ｍは、本明細書でより詳細に論じられるように、カセット内に受容され、保持具マウントによって固定されるように構成され、これにより、第２の取り付け領域５０８’、５０８ｍ’は、カセット内に固定される。ケーブル保持具及びマウントを含む光ケーブルアセンブリ及びハウジングに関する追加情報は、参照により本明細書に組み込まれる、２０１５年１０月１２日に出願され、同一所有者の米国特許出願第６２／２４０，００８号に記載されている。
【００３６】
いくつかの実施形態では、ケーブル保持具は、互いに非平行な２つの対向する側部を有してもよい。いくつかの実施形態では、ケーブル保持具は、側面の一方が他方の側面よりも短い２つの対向する側面を有してもよい。ケーブル保持具の側面は、実質的に直線状であってもよく、又は側面の１つ以上が湾曲していてもよい。
【００３７】
図６は、いくつかの実施形態による、ケーブル保持具６６０を備える光フェルールサブアセンブリ６３０の平面図である。サブアセンブリ６３０は、少なくとも１つの光導波路６３１と、第１の取り付け位置６０８で光導波路６３１に取り付けられた光フェルール６３２とを含む。光フェルールサブアセンブリ６３０は、第２の取り付け位置６０８’で導波路６３１に取り付けられたケーブル保持具６６０を含む。ケーブル保持具６６０は、互いに実質的に平行な２つの対向する側面６８３、６８４と、互いに非平行な２つの対向する側面６８１、６８２と、を有する。平行な側面６８３、６８４は、光導波路６３１の長手方向軸６９９に沿って配設され、非平行な側面６８１、６８２は、光導波路６３１にわたって横方向に配設される。側面６８３は側面６８４よりも短く、側面６８２は６８１よりも短い。表面６４１及び対向する表面（図示せず）は、側面６８１、６８２、６８３、及び６８４の間に延びる。図示した実施形態では、ケーブル保持具６６０は、台形形状を有するが、他の形状もまた可能である。
【００３８】
図７及び図８は、いくつかの実施形態による、２つの台形ケーブル保持具構成をそれぞれ示す斜視図である。図７は、２つの対向する表面７８５、７８６と、互いに実質的に平行な２つの対向する側面７８３、７８４と、互いに非平行な２つの対向する側面７８１、７８２と、を備える、ケーブル保持具７６０を示す。平行な側面７８３、７８４は、光導波路の長手方向軸１９９に沿って配設される（図７には図示せず）。非平行な側面７８１、７８２は、光導波路にわたって横方向に延びる。非平行な側面７８１、７８２及び平行な側面７８３のうちの１つにおける開口部は、軸１９９に沿ってケーブル保持具７６０を通って延び、光導波路を受容するように構成された３つの側面スロット７６１を形成する。
【００３９】
図８は、２つの対向する表面８８５、８８６と、互いに実質的に平行な２つの対向する側面８８３、８８４と、互いに非平行な２つの対向する側面８８１、８８２と、を備える、ケーブル保持具８６０を示す。平行な側面８８３、８８４は、光導波路の長手方向軸１９９に沿って配設され（図８には図示せず）、非平行な側面８８１、８８２は、光導波路にわたって横方向に配設される。非平行な側面８８１、８８２における開口部は、軸１９９に沿ってケーブル保持具８６０を通って延び、光導波路を受容するように構成された４つの側面スロット８６１を形成する。
【００４０】
図１Ａ及び図１Ｂを再び参照すると、フード１１０は、ケーブル保持具１６０をフード１１０内に保持するように構成されたケーブル保持具マウントを形成する１つ以上の可撓性ラッチ部材１６５を含んでもよい。各可撓性ラッチ部材１６５は、細長い可撓性アーム部分１６６と、アーム部分１６６の端部にフィンガー部分１６７とを含む。可撓性ラッチ部材１６５は、ケーブル保持具１６０を受容するように互いから離れて曲がり、ケーブル保持具１６０がフード１１０内に配設されたときに互いに向かって曲がるように構成される。ケーブル保持具１６０がラッチ部材１６５によってフード内に受容されると、各細長い可撓性アーム部分１６６は、ケーブル保持具１６０の平行な側面１８３、１８４のうちの１つに沿って延び、フィンガー部分１６７は、ケーブル保持具１６０の表面１８５に沿って延びる。いくつかの実施態様によれば、ケーブル保持具１６０は、図７及び図８に関連して前述したような台形の形状であってもよい。光導波路１３１は、ケーブル保持具１６０内のスロットを通って走る。
【００４１】
いくつかの実施態様によれば、フード１１０は、図１Ｂに最もよく見られるように、フード１１０の第１の側面２１２の内面２１１から延びる第１の突出部２０１を含む。第１の突出部２０１は、ケーブル保持具１６０の非平行な側面１８１のうちの１つと係合するように配置された第１の表面２０２を有する。いくつかの実施態様によれば、フード１１０は、フード１１０の対向する第２の側面２１４の内面２１３から延びる第２の突出部２０３を含み、第２の突出部２０３は、ケーブル保持具１６０の非平行な側面１８１と係合するように構成された第２の表面２０４を有する。ラッチ部材１６５は、ケーブル保持具１６０をフード１１０内に固定し、図１Ｂに示すｚ軸に沿ったケーブル保持具１６０の運動を防止する。ケーブル保持具１６０の側面１８１と第１及び第２の突出部２０１、２０３の第１及び第２の表面２０２、２０４との係合は、図１Ｂに示されるように、ケーブル保持具１６０のｘ軸に沿った移動を制限する。
【００４２】
いくつかの実施形態では、フード１１０は、例えば、図１Ａ、図１Ｂ、及び図２に示されるように、フード１１０内に１つ以上の湾曲した位置合わせ肩部２２０を含んでもよい。湾曲した位置合わせ肩部２２０は、光アセンブリ１００が嵌合光アセンブリと嵌合する前に光フェルール１３２を支持するように構成される。光アセンブリ１００及び嵌合光アセンブリの２つのフェルールが接触すると、それらは互いに寄り添い、湾曲した位置合わせ肩部２２０からフード１１０内で立ち上がり、安定した光相互接続を提供する。
【００４３】
図１Ａ〜図３Ｂに示されるように、フード１１０は、フード１１０の内面２１１、２１３、２１５から延び、フード１１０の嵌合端１２１で軸１９８に沿って概ね走る１つ以上のリブ１７８を含んでもよい。リブ１７８は、嵌合中にフード１１０と嵌合フードとの位置合わせを容易にする。リブ１７８の導入縁部１７９は面取りされてもよい。フード１１０のより狭い区分１１１及び／若しくはより広い区分１１２の嵌合端にある導入面取り縁部１７７、並びに／又はリブ１７８の導入縁部１７９は、嵌合中の嵌合フード間の固着を低減することができる。導入面取り部１７７、１７９及びリブ１７８は、フード１１０、１１０ｍの中心線の初期位置がやや不正確であっても、嵌合中のフード１１０、１１０ｍの位置合わせを案内することができる。
【００４４】
図１Ａは、一体型のカセット１０１を備える光アセンブリ１００を示し、一体型なのはフード１１０である。他の実施態様では、図９に図示されるように、カセット９０１は、マルチピース物品であってもよい。カセット９０１は、フード９１０内に配設されたフレーム９０２を含む。少なくとも１つの光フェルール９３２及び１つ以上の光導波路９３１を備える１つ以上の光フェルールサブアセンブリ９３０は、フレーム９０２内に配設される。光フェルール９３２の嵌合端は、フレーム９０２から外に延びてもよく、フード９１０は、フェルール９３２を衝撃及び摩耗から機械的に保護するために、光フェルール９３２の端部の上に延びてもよい。フード９１０は、図１Ａ〜図３Ｂに関連して前述したように、より狭い区分が嵌合フードのより広い区分内で摺動できるように、より狭い区分、より広い区分、及びスロットを含む。フード９１０は、本明細書で論じるように、嵌合中に嵌合軸に沿ったカセットの並進運動を停止する停止特徴部を含んでもよい。
【００４５】
フレーム９０２内に配設された１つ以上の光フェルールサブアセンブリ９３０は、前述したものと同じ又は同様であってもよく、ケーブル保持具を含んでもよい。いくつかの構成では、フレーム９０２は、光フェルールサブアセンブリ９３０のケーブル保持具を受容及び固定するように構成された保持具マウントを含んでもよい。光アセンブリのフレームの更なる特徴部は、図１１に関連して論じられる。
【００４６】
光コネクタは、カセット内に配設された光フェルールサブアセンブリを有する１つ以上の単一又はマルチピースカセットを含むことができる。カセットは、単一又はマルチピースのコネクタハウジング内に挿入されるように構成されてもよい。カセットは、広範な光コネクタ構成にわたって標準化されてもよく、その一方で、コネクタハウジングは、特定の用途に特異的であるように設計されてもよい。光フェルールサブアセンブリを保持し、多数の異なる構成を有するハウジング内に挿入することができる標準化フォーマットのカセットの使用は、光コネクタの製造を単純化する。
【００４７】
光コネクタのアセンブリは、光フェルールサブアセンブリ（光導波路に取り付けられた光フェルール及びケーブル保持具）をカセット内に搭載することを含むことができる。図１Ａに示すカセット１０１の例では、光フェルールサブアセンブリ１３０は、図１Ａのページの右側に示されるフード１１０の「底部」から搭載される）。光フェルールサブアセンブリの装着は、湾曲した位置合わせ肩部２２０上に光フェルール１３２を載置することと、ケーブル保持具１６０を保持具マウント１６５の可撓性アーム１６６内に押し込みながら光導波路１３１を曲げることと、を含む。図６を参照すると、光フェルールサブアセンブリは、長手方向軸６９９、横軸６９８、及び厚さ軸６９７を有する。図１Ａに示す実施形態では、光フェルールサブアセンブリ１３０は、光フェルールサブアセンブリの厚さ軸に概ね沿ってフード１１０内に挿入される。
【００４８】
フレーム９０２は、取り外し可能なカバー９０３を有する。図９の例示的なカセット９０１では、カバー９０３が取り外され、光フェルールアセンブリは、図９に示される左「側面」からカセット９０１のフレーム９０２内に搭載される。光フェルールサブアセンブリの軸を説明する図６を再び参照すると、光フェルールサブアセンブリ９３２は、光フェルールサブアセンブリの横軸６９８に概ね沿ってフレーム内に挿入される。光フェルールサブアセンブリがフレーム９０２内に搭載された後、光フェルールサブアセンブリが内に装着されたフレーム９０２がフード９０３内に挿入される。
【００４９】
フェルールサブアセンブリの横軸に沿った側面から光フェルールサブアセンブリを装着することは、導波路を曲げ、ケーブル保持具をカセット内の保持具マウント内に挿入しながら、カセットの嵌合端にある湾曲した位置合わせ肩部上にフェルールを載置することを含む。しかし、側面から複数の光フェルールサブアセンブリを搭載することは、例えば、光フェルールが、前方又は後方に偶然に移動する場合があり、これにより、湾曲した位置合わせ肩部から落下するため、困難であり得る。いくつかの実施形態は、光フェルールサブアセンブリのカセットのフレーム内への装着を容易にするフェルール装着ツールを対象とする。ツールは、ケーブル保持具が保持具マウント内に配置されている間に、フレーム内の正確な位置合わせ肩部のセット上にフェルールが位置し、フェルールを定位置に保持するようにアセンブラを支援する。
【００５０】
図１０は、いくつかの実施形態による、フェルール装着ツール１０００を示す。フェルール装着ツール１０００は、実質的に平坦なベース１００１を含み、任意に、ベース１００１の表面から延びる第１及び第２の角支持体１００２を含む。例えば、いくつかの構成では、角支持体１００２は、図１０に示されるようにＬ字形であってもよい。角支持体１００２は、カセットのフレームの嵌合端を第１及び第２の角支持体１００２の間に挿入できるようにする距離だけ離間している。複数の歯１００３は、ベース１００１の表面から延びる。歯１００３は、角支持体１００２の間のベース上で互いに離間している。歯１００３のピッチは、フレーム内に装着されたときの光フェルールサブアセンブリリのピッチに等しい。図１０に図示されるように、いくつかの構成では、歯１００３がベース１００１に取り付けられる各歯１００３の底部は、歯１００３の先端よりも広くてもよい。
【００５１】
図１０に示されるフェルール装着ツール１０００を使用して光フェルールサブアセンブリを搭載するのに好適なフレーム１１００が、図１１の分解図に図示されている。フレーム１１００は、フレーム１１００の嵌合端１１１１と非嵌合端１１１２との間に延びる第１の側面１１０１を有する。フレーム１１００は、取り外し可能なカバーを含む第２の側面１１０２を有し、第２の側面１１０２は第１の側面１１０１に対向する。第２の側面１１０２は、フレーム１１００の嵌合端１１１１と非嵌合端１１１２との間に延びる。第３の側面１１０３及び対向する第４の側面１１０４は、フレーム１１００の嵌合端１１１１と非嵌合端１１１２との間、及び第１の側面１１０１と第２の側面１１０２との間に延びる。第１の側面１１０１、第２の側面１１０２、第３の側面１１０３、及び第４の側面１１０４は、光フェルールサブアセンブリが挿入されるフレーム１１００の内部空間１１９０を画定する。フレーム１１００は、嵌合端１１１１に近接する第１の側面１１０１を貫通する孔１１２０を含む。孔１１２０は、第３の側面１１０３と第４の側面１１０４との間で互いに離間している。
【００５２】
フレーム１１００は、互いに離間し、フレーム１１００の内部空間１１９０内に少なくとも部分的に配設された複数の光フェルールサブアセンブリ１２３０（図１１には図示されていないが図１２Ａ〜図１２Ｃには図示される）を保持するように構成される。各光フェルールサブアセンブリ１２３０は、少なくとも１つの光導波路１２３１と、光導波路１２３１の第１の位置１２０８で光導波路１２３１に取り付けられた光フェルール１２３２と、光導波路１２３１の第２の位置で光導波路１２０８’に取り付けられたケーブル保持具１２６０と、を含む。フレーム１１００内に搭載された後、フェルールサブアセンブリ１２３０は、フレーム１１００の内部空間１１９０内で、フレーム１１００の第１の側面１１０１における離間された孔１１２０のピッチに等しいピッチで離間している。
【００５３】
フレーム１１００は、光フェルール１１３０サブアセンブリのケーブル保持具１１６０をフレーム１１００内に固定するように構成された保持具マウント１１６５を含む。各保持具マウントは、フレーム１１００の第１の側面１１０１の内面１１０１ａから延びる第１及び第２の壁１１６６、１１６７を備える。壁１１６６、１１６７は、互いに面する第１及び第２の表面１１６６ａ、１１６７ａを有する。壁１１６６の内面１１６６ａは、フレーム１１００の嵌合軸であるｘ軸に対して垂直でない角度で配向されてもよい。例えば、表面１１６６ａの角度は、ｘ軸に対して約７０度〜約８５度又は約８０度であってもよい。壁１１６７の内面１１６７ａは、ｘ軸に対して実質的に垂直に配向されてもよい。
【００５４】
フレーム１１００は、前述の湾曲した位置合わせ肩部などのフェルール支持部１１４０、又は嵌合前にフェルール１２３２を支持する他の特徴部を含んでもよい。複数の光フェルールサブアセンブリを保持するように構成されたフレーム１１００はまた、少なくとも１つの支持ブレース１１５０及び／又はリブ１１５１を含んでもよい。支持ブレース１１５０は、フレーム１１００の嵌合端１１１１において第１の側面１１０１と第２の側面１１０２との間に延び、嵌合端１１１１におけるフレーム１１００の曲げを低減する。ブレース１１５０は、光フェルールサブアセンブリ１１３０の半分（例えば、４、５、６、７、８以上）が支持バー１１５０の一方の側に挿入され、光フェルールサブアセンブリ１１３０の他方の半分が支持バー１１５０の別の側に挿入されるように、嵌合端１１１１の中点の周りに位置決めされてもよい。支持リブ１１５１は、保持具マウント１１６５の位置において支持ブレース１１５０の後方に配設される。
【００５５】
図１２Ａ〜図１２Ｃは、いくつかの実施形態による、フェルール装着ツール１０００を使用して、光フェルールサブアセンブリ１２３０をフレーム１１００に搭載するプロセスを示す。プロセスは、最初に、フェルール装着ツール１０００の歯１００３をカセットフレーム１１００の第１の側面１１０１における孔１１２０内に挿入することを含む。フェルール装着ツール１０００のベース１００１は、カセットフレーム１１００の第１の側面１１０１を支持する。
【００５６】
フレーム１１００は、フェルール装着ツール１０００の第１及び第２のＬ字型角支持体１００２の間に位置決めされる。フレーム１１００第３の側面１１０３及び第４の側面１１０４は、Ｌ字型角支持体１００２の長側面に隣接し、フレーム１１００の嵌合縁部１１１１は、角支持体１００２の短側面に隣接している。角支持体１００２の長側面に隣接するフレームの第３及び第４の側面１１０３、１１０４、並びに角支持体１００２の短側面に隣接するフレーム１１００の嵌合縁部１１１１により、ｙ軸に沿ったフレーム１１００の横方向並進運動、及びｘ軸に沿った前方運動は、角支持体１００２によって制限される。
【００５７】
装着ツール１０００内にフレーム１１００を位置決めした後、光フェルールサブアセンブリ１２３０をフレーム１１００内に配置する。図１２Ａでは、フレーム１１００は装着ツール１０００内に配置されている。少なくとも１つの光フェルールサブアセンブリ１２３０のフェルール１２３２は、フェルール装着ツール１０００の隣接する歯１００３のセットの間に位置決めされ、フレーム１１００の第１の側面１１０１の内面から延びるフェルール支持特徴部１１４０上に配置される。いくつかの実施態様では、フェルール支持特徴部１１４０は、前述の湾曲した位置合わせ肩部を備えてもよい。
【００５８】
図１２Ａに図示されるように、フェルール１２３２は、ケーブル保持具１２６０をフレーム１１００内に挿入する前にフレーム１１００内に挿入される。フェルール１２３２が歯１００３の間及びフレーム１１００の支持特徴部１１４０の上に挿入された後、ケーブル保持具１２６０は、フレームの保持具マウント１１６５の壁１１６６、１１６７の間に挿入される。
【００５９】
ケーブル保持具１２６０は、図７及び図８に図示されるように、台形形状を有してもよい。多くの実施形態では、保持具マウントは、ケーブル保持具とほぼ同じ形状を有する。台形ケーブル保持具は、短側面１２６４と実質的に平行な長側面１２６３を有する。図１２Ｂに図示されるように、台形ケーブル保持具１２６０を含む実施態様では、短側面１２６４は、長側面１２６３の前に保持具マウント１１６５の壁１１６６、１１６７の間に挿入される。ケーブル保持具１２６０を位置決めすることは、光フェルールサブアセンブリ１２３０が、フレーム１１６０の嵌合軸（ｘ軸）と実質的に垂直なｙ軸の周りを回転することを含んでもよい。
【００６０】
ケーブル保持具１２６０が保持具マウント１１６６に装着されると、ケーブル保持具１２６０の非平行な側面１２６１、１２６２は、壁１１６６、１１６７の表面１１６６ａ、１１６７ａと係合する。長側面１２６３を挿入する前に、まず台形ケーブル保持具１２６０の短側面１２６４を挿入することにより、ケーブル保持具１２６０を保持具マウント１１６５内に挿入することが容易になる。ケーブル保持具１２６０を保持具マウント１１６５内に挿入することにより、光導波路１２３１に屈曲部を形成する。
【００６１】
図１４Ａ〜図１５Ｂは、光フェルールサブアセンブリ１４３０のケーブル保持具１４６０の保持具マウント１４６５内への挿入をより詳細に図示する。図１４Ａは、第１の取り付け位置１４０８で光導波路１４３１に取り付けられた光フェルール１４３２を含む光フェルールサブアセンブリ１４３０を示す。ケーブル保持具１４６０は、第２の取り付け位置１４０８’で光導波路１４３１に取り付けられる。図示した実施形態では、ケーブル保持具１４６０は、台形形状を有する。ケーブル保持具１４６０は、互いに非平行な第１及び第２の対向する側面１４８１、１４８２と、互いに実質的に平行な第３及び第４の対向する側面１４８３、１４８４とを有する。第１及び第２の側面１４８１、１４８２は、光導波路１４３１にわたって横方向に延びる。第３及び第４の側面１４８３、１４８４は、導波路１４３１の長手方向軸１４９９に沿って延びる。図１４Ａ及び図１４Ｂに示されるように、この実施形態では、ケーブル保持具１４６０の側面１４８１、１４８２、１４８３、１４８４は、実質的に直線状である。側面１４８３は側面１４８４よりも短く、側面１４８２は１４８１よりも短い。
【００６２】
保持具マウント１４６５は、フレームの側面１４０１の内面１４０１ａから延びる第１及び第２の壁１４６６、１４６７を含む。第１の壁１４６６は第１の表面１４６６ａを有し、第２の壁１４６７は第１の表面１４６６ａに面する第２の表面１４６７ａを有する。第１の表面１４６６ａは、フレームの嵌合軸１４９８（図１４Ａ及び図１４Ｂのｘ軸）に対して垂直でない角度（α）で配向され、αは、光フェルール１４３２上又は付近に位置する回転点１４９１の周りで光フェルールサブアセンブリ１４３０を回転させることによって、ケーブル保持具１４６０を保持具マウント１４６５内に挿入できるようにするのに十分である。例えば、αは、フレームの嵌合軸１４９８に対して約７０度〜約８５度又は約８０度であってもよい。第２の表面１４６７ａは、嵌合軸１４９８に対してほぼ垂直に配向される。ケーブル保持具１４６０の保持具マウント１４６５内への回転挿入を容易にするために、フレーム側面１４０１の内面１４０１ａに近い位置における第１の表面１４６６ａと第２の表面１４６７ａとの間の第１の距離ｄ１は、フレーム側面１４０１の内面１４０１ａから遠い位置における第２の距離ｄ２よりも小さい。例えば、ｄ１は（フレーム側面１４０１の内面１４０１ａにある）保持具マウント１４６５の底面にあってもよく、ｄ２は保持具マウント１４６５の上面にあってもよい。
【００６３】
図１４Ａ及び図１４Ｂに図示されるように、ケーブル保持具１４６０の保持具マウント１４６５内への装着は、嵌合軸１４９８に垂直なｚ軸の周りで光フェルールサブアセンブリ１４３０を回転させることを含み、回転点１４９１はフェルール１４３２上又はフェルール１４３２に近接して位置する。まず、ケーブル保持具１４６０の平行な側面１４８３の小さい方が、保持具マウント１４６５内に挿入され、光ケーブルサブアセンブリ１４３０は、ケーブル保持具１４６０が保持具マウント１４６５内に配設されるまで回転される。完全に挿入されると、保持具マウント１４６５の第１の表面１４６６ａは、導波路１４３１の長手方向軸１４９９に対して垂直でない角度で、導波路１４３１にわたって横方向に配設された非平行な側面１４８１に隣接している。嵌合軸１４９８に沿って第１の表面１４６６ａの後方にある保持具マウント１４６５の第２の表面１４６７ａは、導波路１４３１の長手方向軸１４９９に実質的に垂直な非平行な側面１４８２に隣接している。図１４Ｂは、保持具マウント１４６５内に完全に装着された後のケーブル保持具１４６０を示す。ケーブル保持具１４６０を保持具マウント１４６５内に挿入することにより、嵌合軸１４９８に沿ったケーブル保持具１４６０の移動を防ぎ、光導波路１４３１の第２の取り付け領域１４０８’をフレーム内に固定する。
【００６４】
図１５Ａ及び図１５Ｂに図示されるように、ケーブル保持具は、台形である必要はなく、湾曲した側面を有してもよい。保持具マウント１５６５は、ケーブル保持具１５６０の形状に適合する形状を有する。図１５Ａは、第１の取り付け位置１５０８で光導波路１５３１に取り付けられた光フェルール１５３２を含む光フェルールサブアセンブリ１５３０を示す。ケーブル保持具１５６０は、第２の取り付け位置１５０８’で光導波路１５３１に取り付けられる。図示した実施形態では、ケーブル保持具１５６０は、１つの湾曲した側面１５８１を有する台形ではない。第２の側面１５８２は湾曲した側面１５８１に対向し、第３及び第４の対向する側面１５８３、１５８４は互いに実質的に平行である。第１及び第２の側面１５８１、１５８２は、光導波路１５３１にわたって横方向に延びる。第３及び第４の側面１５８３、１５８４は、導波路１５３１の長手方向軸１５９９に沿って延びる。側面１５８３は側面１５８４よりも短い。
【００６５】
保持具マウント１５６５は、フレームの側面１５０１の内面１５０１ａから延びる第１及び第２の壁１５６６、１５６７を含む。第１の壁１５６６は、ケーブル保持具１５６０の第１の側面１５８１と同じ曲率を有する第１の表面１５６６ａを有する。第２の壁１５６７は、第１の表面１５６６ａに面する第２の表面１５６７ａを有する。表面１５６６ａのベースから先端まで引かれた線１５９０は、フレームの嵌合軸１５９８（図１５Ａ及び図１５Ｂのｘ軸）に対して垂直でない角度（α）をなし、αは、光フェルール１５３２上又は付近に位置する回転点１５９１の周りで光フェルールサブアセンブリ１５３０を回転させることによって、ケーブル保持具１５６０を保持具マウント１５６５内に挿入できるようにするのに十分である。例えば、αは、フレームの嵌合軸１５９８に対して約７０〜約８５度又は約８０度であってもよい。第２の表面１５６７ａは、嵌合軸１５９８に対してほぼ垂直に配向される。ケーブル保持具１５６０の保持具マウント１５６５内への回転挿入を容易にするために、フレーム側面１５０１の内面１５０１ａに近い位置における第１の表面１５６６ａと第２の表面１５６７ａとの間の第１の距離ｄ１は、フレーム側面１５０１の内面１５０１ａから遠い位置における第２の距離ｄ２よりも小さい。
【００６６】
図１４Ａ及び図１４Ｂに図示されるように、ケーブル保持具１５６０の保持具マウント１５６５内への装着は、嵌合軸１５９８に垂直なｚ軸の周りで光フェルールサブアセンブリ１５３０を回転させることを含み、回転点１５９１はフェルール１５３２上又はフェルール１５３２に近接して位置する。まず、ケーブル保持具１５６０の平行な側面１５８３の小さい方が、保持具マウント１５６５内に挿入され、光ケーブルサブアセンブリ１５３０は、ケーブル保持具１５６０が保持具マウント１５６５内に配設されるまで点１５９９の周りを回転される。完全に挿入されると、保持具マウント１５６５の第１の表面１５６６ａは、導波路１５３１にわたって横方向に配設された湾曲した側面１５８１に隣接している。嵌合軸１５９８に沿って第１の表面１５６６ａの後方にある保持具マウント１５６５の第２の表面１５６７ａは、導波路１５３１の長手方向軸１５９９に実質的に垂直な第２の側面１５８２に隣接している。図１５Ｂは、保持具マウント１５６５内に完全に装着された後のケーブル保持具１５６０を示す。ケーブル保持具１５６０を保持具マウント１５６５内に挿入することにより、嵌合軸１５９８に沿ったケーブル保持具１５６０の移動を防ぎ、光導波路１５３１の第２の取り付け領域１５０８’をフレーム内に固定する。
【００６７】
ここで図１２Ｃを参照すると、光フェルールサブアセンブリ１２３０の装着後、フレーム１１００及び内に装着された光フェルールサブアセンブリ１２３０は、図１２Ｄに図示されるように、フェルール装着ツール１０００のベース１００１から持ち上げられ、フェルール装着ツール１０００の歯１００３をフレーム１１００内の孔１１２０から取り外す。光フェルールアセンブリ１２３０が内に装着されたフレーム１１００は、図６に図示されるように、フード内に挿入されてもよく、フレーム及びフードを備えるカセットは、光コネクタ内に装着されてもよい。
【００６８】
いくつかの態様によれば、フェルール装着ツールは、装着ツールのベースに沿って延びるリップを含む。角支持体が存在する場合、リップ１３０１は、図１３に図示されるように、角支持体１００２の間に延びてもよい。光フェルールサブアセンブリの装着中、リップ１３０１は、ｘ軸に沿ったフェルール１２３２の移動を拘束し、光フェルールサブアセンブリをフレーム１１００内に装着する間の光導波路の延長を制限する。
【００６９】
本明細書に記載されるアプローチと併せて使用することができる光フェルール、光アセンブリ、及び光コネクタに関する追加情報は、参照により本明細書に組み込まれる、同一所有者の、２０１５年１０月１２日に出願された米国特許出願第６２／２４０，０００号、２０１５年１０月１２日に出願された米国特許出願第６２／２４０，０６９号、２０１５年１０月１２日に出願された米国特許出願第６２／２４０，０６６号、２０１５年１０月１２日に出願された米国特許出願第６２／２４０，００８号、及び２０１５年１０月１２日に出願された米国特許出願第６２／２３９，９９６号で提供される。
【００７０】
別途断りがない限り、本明細書及び特許請求の範囲で用いる加工寸法（feature size）、量、及び物理的特性を表す全ての数は、全ての場合において、用語「約」によって修飾されていると理解するものとする。したがって、特に反対の指示がない限り、上記明細書及び添付の特許請求の範囲に記載されている数値パラメータは、本明細書で開示される教示を利用して当業者が得ようとする所望の特性に応じて変動し得る近似値である。端点による数値範囲の使用は、その範囲内の全ての数（例えば、１〜５は、１、１．５、２、２．７５、３、３．８０、４、及び５を含む）、及びその範囲内の任意の範囲を含む。
【００７１】
上述の実施形態の様々な修正及び変更が、当業者には明らかとなるものであり、本開示は、本明細書に記載されている例示的実施形態に限定されるものではないことを理解されたい。読者には、別段の指示のない限り、開示される１つの実施形態の特徴はまた、開示される全ての他の実施形態にも適用することができる点を想定されたい。また、本明細書で参照される全ての米国特許、特許出願、特許出願公開、並びに他の特許文献及び非特許文献は、上記の開示に矛盾しない範囲内で、参照により本明細書に組み込まれることも理解されたい。
【図１Ａ】
2021529983.tif 000003
【図１Ｂ】
2021529983.tif 000004
【図２】
2021529983.tif 000005
【図３Ａ】
2021529983.tif 000006
【図３Ｂ】
2021529983.tif 000007
【図４Ａ】
2021529983.tif 000008
【図４Ｂ】
2021529983.tif 000009
【図５】
2021529983.tif 000010
【図６】
2021529983.tif 000011
【図７】
2021529983.tif 000012
【図８】
2021529983.tif 000013
【図９】
2021529983.tif 000014
【図１０】
2021529983.tif 000015
【図１１】
2021529983.tif 000016
【図１２Ａ】
2021529983.tif 000017
【図１２Ｂ】
2021529983.tif 000018
【図１２Ｃ】
2021529983.tif 000019
【図１２Ｄ】
2021529983.tif 000020
【図１３】
2021529983.tif 000021
【図１４Ａ】
2021529983.tif 000022
【図１４Ｂ】
2021529983.tif 000023
【図１５Ａ】
2021529983.tif 000024
【図１５Ｂ】
2021529983.tif 000025
【国際調査報告】
2021529983.tif 000026
2021529983.tif 000027
2021529983.tif 000028
2021529983.tif 000029